(57)【特許請求の範囲】
【請求項１】
現フィールドの映像信号と２フィールド前の映像信号を用いて入力映像信号の映像源が映画フィルムかどうかの判別を行う映像源判別方法であって、
前記２つのフィールドの映像信号を所定長の画素単位で比較して一画素でも一致するものがあるかどうかを検出し、
前記検出された一致または不一致の数を計数して閾値と比較して前記２つのフィールドの映像信号の同一性を判定し、
連続した複数フィールドにおける前記同一性の判定結果のパターンに従って前記入力映像信号の映像源の判別を行うとともに、直前が映画フィルムでないと判別した状態であるときには、映画フィルムと判別することを厳しくするよう前記同一性の判定を行う際の閾値が変更されることを特徴とする映像源判別方法。
【請求項２】
前記判定の閾値の変更は前記入力映像信号のノイズレベルに応じて緩く設定されることを特徴とする請求項１記載の映像源判別方法。
【請求項３】
前記映像源の判別について直前に映画フィルムと判別され、現在は映画フィルムと判別されていない状態のときには、前記判定の閾値を変更して映画フィルムと判別することをさらに厳しくするとともに、この状態が所定時間続いたら映画フィルムでないと判別することを特徴とする請求項１記載の映像源判別方法。
【請求項４】
現フィールドの映像信号と２フィールド前の映像信号を用いて入力映像信号の映像源が映画フィルムかどうかの判別を行う映像源判別装置であって、
前記２つのフィールドの映像信号を所定長の画素単位で比較して一画素でも一致するものがあるかどうかを検出する検出手段と、
前記検出された一致または不一致の数を計数して閾値と比較して前記２つのフィールドの映像信号の同一性を判定する判定手段と、
連続した複数フィールドにおける前記同一性の判定結果のパターンに従って前記入力映像信号の映像源の判別を行う判別手段と、
直前が映画フィルムでないと判別した状態であるときには、映画フィルムと判別することを厳しくするよう前記同一性の判定を行う際の閾値を変更する変更手段と
を有することを特徴とする映像源判別装置。
【請求項５】
前記判定の閾値の変更は前記入力映像信号のノイズレベルに応じて緩く設定されることを特徴とする請求項４記載の映像源判別装置。
【請求項６】
前記映像源の判別について直前に映画フィルムと判別され、現在は映画フィルムと判別されていない状態のときには、前記判定の閾値を変更して映画フィルムと判別することをさらに厳しくするとともに、この状態が所定時間続いたら映画フィルムでないと判別することを特徴とする請求項４記載の映像源判別装置。
【請求項７】
入力映像信号の走査線をフィールド内若しくはフィールド間の相関若しくはフィールドの合成を用いて倍加する走査線倍加手段と、前記入力映像信号の映像源が映画フィルムかどうかを判別する映画フィルム判別手段とを有する映像信号処理装置であって、
前記映画フィルム判別手段は、
現フィールドの映像信号と２フィールド前の映像信号を所定長の画素単位で比較して一画素でも一致するものがあるかどうかを検出する検出手段と、
前記検出された一致または不一致の数を計数して閾値と比較して前記２つのフィールドの映像信号の同一性を判定する判定手段と、
連続した複数フィールドにおける前記同一性の判定結果のパターンに従って前記入力映像信号の映像源の判別を行う判別手段と、
直前が映画フィルムでないと判別した状態であるときには、映画フィルムと判別することを厳しくするよう前記同一性の判定を行う際の閾値を変更する変更手段と
を有することを特徴とする映像信号処理装置。
【請求項８】
前記判定の閾値の変更は前記入力映像信号のノイズレベルに応じて緩く設定されることを特徴とする請求項７記載の映像信号処理装置。
【請求項９】
前記映像源の判別について直前に映画フィルムと判別され、現在は映画フィルムと判別されていない状態のときには、前記判定の閾値を変更して映画フィルムと判別することをさらに厳しくするとともに、この状態が所定時間続いたら映画フィルムでないと判別することを特徴とする請求項７記載の映像信号処理装置。
【発明の詳細な説明】
【０００１】
【発明の属する技術分野】
本発明は、例えば映像信号を高解像度で表示する場合に使用して好適な映像源判別方法及び装置及び映像信号処理装置に関する。詳しくは、例えば映像信号の走査線を倍加すると共に、その際の映像信号の映像源を良好に判別して、映像源に応じた倍加処理の方法を最適に選択できるようにしたものである。
【０００２】
【従来の技術】
例えば映像信号を高解像度で表示する場合においては、入力映像信号のフィールド内若しくはフィールド間の相関を用いて走査線を倍加することが行われている。ここで入力映像信号の映像源がビデオカメラの場合には、例えば図１１に示すようにフィールドごとに異なる映像が供給されるので、入力映像信号のフィールド内若しくはフィールド間の相関を用いて走査線を倍加することができる。
【０００３】
これに対して、入力映像信号の映像源が映画フィルムである場合には、例えば毎秒２４コマの映画フィルムを毎秒６０フィールドのＮＴＳＣ方式の映像信号に変換する際に、いわゆる３−２プルダウン処理と呼ばれる変換が行われている。このためこのような映像信号を、単純にフィールド内若しくはフィールド間の相関を用いて走査線を倍加すると、却って画質が劣化することがある。
【０００４】
すなわち上述の３−２プルダウン処理は例えば図１２のように行われる。この図１２のＡは連続する映画フィルムの２コマを示す。そして図１２のＢに示すように、最初のコマからａ、ａ′、ａの３フィールドが形成され、次のコマからｂ′、ｂの２フィールドが形成される。ここでａ、ｂは、インターレースされる映像信号の一方のフィールド、ａ′、ｂ′は他方のフィールドになっている。
【０００５】
そこでこのような映像源が映画フィルムの入力映像信号の走査線を倍加する場合には、例えば最初のコマから形成されたａ、ａ′の２フィールドは、インターレースされた走査線を交互に合成するだけで走査線を倍加することができる。ところがａ、ｂ′の２フィールドは異なるコマから形成されているために、これらの２フィールドの走査線を合成すると画質が著しく劣化してしまう。
【０００６】
これに対してｂ′、ｂの２フィールドは、走査線を交互に合成するだけで走査線を倍加することができる。すなわち、上述のような映像源が映画フィルムの入力映像信号の走査線を倍加する場合には、フィールドと映像源のコマとの関係を判別して合成するフィールドを選択することにより、画質劣化を生じること無く良好な走査線の倍加処理を行うことができるものである。
【０００７】
【発明が解決しようとする課題】
そこで上述の入力映像信号の映像源が映画フィルムであることを判別する必要が生じた。ところがこのような判別は、例えば上述の図１１、図１２に示すような映像信号の特徴に基づいて行われなければならない。また、このような判別に当たっては、例えば判別レベルを任意に変更することにより判別にヒステリシス等を設けられるようにすることが好ましいものである。
【０００８】
この出願はこのような点に鑑みて成されたものであって、解決しようとする問題点は、入力映像信号の映像源が映画フィルムであることを判別する場合には、映像信号の特徴に基づいて行われなければならず、またこのような判別に当たっては、判別にヒステリシス等を設けられるようにすることが好ましいというものである。
【０００９】
【課題を解決するための手段】
このため本発明においては、所定のブロック内の画素の一致または不一致を計数してフィールドの同一性を判定し、判定のパターンに従って映像信号の映像源の判別を行うと共に、同一性の判定を行う際の判定の閾値を任意に変更するようにしたものであって、これによれば、映像源の判別を映像信号の特徴に基づいて行うことができると共に、この判別にヒステリシス等を設けることができる。
【００１０】
【発明の実施の形態】
すなわち本発明においては、現フィールドの映像信号と２フィールド前の映像信号を用いて入力映像信号の映像源が映画フィルムかどうかの判別を行う映像源判別方法であって、２つのフィールドの映像信号を所定長の画素単位で比較して一画素でも一致するものがあるかどうかを検出し、検出された一致または不一致の数を計数して閾値と比較して２つのフィールドの映像信号の同一性を判定し、連続した複数フィールドにおける同一性の判定結果のパターンに従って入力映像信号の映像源の判別を行うとともに、直前が映画フィルムでないと判別した状態であるときには、映画フィルムと判別することを厳しくするよう同一性の判定を行う際の閾値が変更されることを特徴とするものである。
【００１１】
また、本発明においては、現フィールドの映像信号と２フィールド前の映像信号を用いて入力映像信号の映像源が映画フィルムかどうかの判別を行う映像源判別装置であって、２つのフィールドの映像信号を所定長の画素単位で比較して一画素でも一致するものがあるかどうかを検出する検出手段と、検出された一致または不一致の数を計数して閾値と比較して２つのフィールドの映像信号の同一性を判定する判定手段と、連続した複数フィールドにおける同一性の判定結果のパターンに従って入力映像信号の映像源の判別を行う判別手段と、直前が映画フィルムでないと判別した状態であるときには、映画フィルムと判別することを厳しくするよう同一性の判定を行う際の閾値を変更する変更手段とを有してなるものである。
【００１２】
さらに本発明においては、現フィールドの映像信号と２フィールド前の映像信号を用いて入力映像信号の映像源が映画フィルムかどうかの判別を行う映像源判別装置であって、２つのフィールドの映像信号を所定長の画素単位で比較して一画素でも一致するものがあるかどうかを検出する検出手段と、検出された一致または不一致の数を計数して閾値と比較して２つのフィールドの映像信号の同一性を判定する判定手段と、連続した複数フィールドにおける同一性の判定結果のパターンに従って入力映像信号の映像源の判別を行う判別手段と、直前が映画フィルムでないと判別した状態であるときには、映画フィルムと判別することを厳しくするよう同一性の判定を行う際の閾値を変更する変更手段とを有してなるものである。
【００１３】
以下、図面を参照して本発明を説明するに、図１は本発明の映像源判別方法及び装置及び映像信号処理装置を適用した映像信号処理装置の一実施形態の構成を示すブロック図である。
【００１４】
図１において、入力端子１には入力映像信号が供給される。そしてこの入力映像信号が第１のフィールドメモリ２に供給され、このフィールドメモリ２で１フィールド期間遅延された映像信号が第２のフィールドメモリ３に供給される。これによって入力端子１に供給された入力映像信号は、フィールドメモリ２、３でそれぞれ１フィールド期間ずつ遅延され、連続した３フィールドが同時化されて取り出される。
【００１５】
そして入力端子１からの映像信号が切り換え回路４を通じて走査線倍加装置５に供給される。またフィールドメモリ２からの映像信号が走査線倍加装置５に供給される。さらにフィールドメモリ３からの映像信号が切り換え回路６を通じて走査線倍加装置５に供給される。これにより切り換え回路４が上側、切り換え回路６が下側に切り換えられていた場合には、上述の同時化された３フィールドの映像信号が走査線倍加装置５に供給される。
【００１６】
従って入力端子１に供給される映像信号の映像源が、例えばビデオカメラの場合には、フィールドごとに異なる映像が３フィールドずつ同時化されて走査線倍加装置５に供給され、入力映像信号のフィールド内若しくはフィールド間の相関を用いて走査線の倍加が行われる。すなわち、通常のビデオカメラで撮影されたテレビジョン放送等の映像信号の場合には、上述の同時化された３フィールドの映像信号によって走査線倍加装置５にて走査線の倍加が行われる。
【００１７】
これに対して入力端子１に供給される映像信号の映像源が映画フィルムの場合には、入力端子１には、例えば図２のＡに示すようなフィールドａ、ａ′、ａ、ｂ′、ｂ、ｃ′、ｃ、ｃ′・・・の映像信号が供給される。そして入力端子１及びフィールドメモリ２、３からは、それぞれ図２のＢに示すような、３フィールド（ａ、ｚ′、ｚ）（ａ′、ａ、ｚ′）（ａ、ａ′、ａ）・・・の映像信号が同時化されて取り出される。
【００１８】
そこでこれらの入力端子１からの映像信号とフィールドメモリ３からの映像信号が映画フィルム判別回路７に供給される。これによってこの判別回路７には、現在のフィールドを２フィールド前の映像信号が供給される。そしてこれらの映像信号を用いて映画フィルムの判別が行われる。すなわち図３のＡに示すように供給される映像信号に対して図３のＢに示すような組み合わせで画像の一致が判断され、一致のとき“０”、不一致のとき“１”の信号が形成される。
【００１９】
ここで判別回路７の構成は、例えば図４に示すようになっている。図４において、端子４１、４２には、それぞれ入力端子１からの映像信号（フィールド１）とフィールドメモリ３からの映像信号（フィールド２）とが供給される。これらの映像信号が比較部４３に供給され、その比較結果が検出部４４に供給される。そしてこの検出信号が状態遷移出力部４５に供給され、この判別出力が出力端子４６に取り出されると共に、状態を示す信号が検出部４４に帰還される。
【００２０】
さらに図５にはより具体的な回路構成を示す。この図５において、上述のフィールド１及び２の等しい座標ブロックの例えば６画素がレジスタ５１、５２に取り出される。そしてこれらの各画素が６個のイクスクルーシブオア回路５３に供給されて、それぞれの不一致が判別（出力値“１”）され、これらのイクスクルーシブオア回路５３の出力がアンド回路５４で合成される。これによってアンド回路５４からは、１画素でも一致したときは値“０”が出力され、６個のイクスクルーシブオア回路５３が全て不一致のとき“１”が出力される。
【００２１】
このアンド回路５４の出力がカウンタ５５で計数され、この計数値がデコーダ５６に供給される。そしてデコーダ５６では、計数値が任意のデコード値以上になったときに、フィールド１及び２の不一致が判定されて、例えば値“１”が出力端子５７に取り出される。さらに上述の状態遷移出力部４５では、この値“０”が所定のパターンで出力されているか否か判別され、これによって映像源が映画フィルムか否かの判別が行われる。
【００２２】
すなわち映像源が映画フィルムの場合には、上述の図３のＡのパターンで各フィールドの映像信号が供給されることから、この５フィールドごとにフィールド１、２の画像が一致し、上述の判定される信号が図３のＣに示すようにこの５フィールドごとに“０”を出力する。これに対して、映像源がビデオカメラの場合には、フィールドごとの画像が全て異なるので信号に“０”が形成されることがない。そこでこの信号のパターンを判別して映画フィルムの判別が行われる。
【００２３】
そして映画フィルム判別回路７で映画フィルムであることが判別されると、まず切り換え回路４が下側に切り換えられる。さらに上述の判別される信号のパターン（図３のＣ）から、図３のＤに示すような制御信号が形成され、この制御信号に従って切り換え回路６が上側“１”及び下側“０”に切り換えられる。これによってこれらの切り換え回路４、フィールドメモリ２、及び切り換え回路６からは、図２のＤに示すような３フィールドの映像信号が取り出される。
【００２４】
さらに上述の状態遷移出力部４５には、例えば３つの状態（ステート）が設けられる。その３つの状態とは、例えば図６に示すように上述の２−３プルダウンが検出されていない状態（ステート０）、２−３プルダウンが検出されている状態（ステート１）、２−３プルダウンが直前まで検出され、現在は検出されていない状態（ステート２）である。そしてこれらの状態の間で遷移が円滑に行われるように、上述のデコーダ５６でのデコード値の変更が行われる。
【００２５】
すなわち、デコーダ５６でのデコード値を設定するデコード値設定回路５８が設けられ、この設定回路５８に状態遷移出力部４５からの状態出力が端子５９を通じて供給されて、デコーダ５６でのデコード値の変更が行われる。そして例えば図７に示すように、ステート０ではデコード値“２４”（全体の５％程度）として映画フィルムの判別を厳しくしている。
【００２６】
またステート１では、上述の５フィールドのパターンに対応して“１”が出力されるフィールドではデコード値“２４”とし、“０”が出力されるフィールドではデコード値“４００”（全体の８０％程度）として映画フィルムの判別を緩くしている。さらにステート２では、上述の５フィールドのパターンに対応して“１”が出力されるフィールドではデコード値“１５”（全体の３％程度）として映画フィルムの判別をさらに厳しくし、“０”が出力されるフィールドではデコード値“４００”としている。
【００２７】
このようにして映像源が映画フィルムであることの判別が行われる。さらにこの映画フィルムであることの判別信号が、上述の判別回路７から走査線倍加装置５に供給されて、例えばインターレースされた走査線を交互に合成して走査線の倍加が行われる。また通常のビデオカメラで撮影された映像信号の場合には、フィールド内若しくはフィールド間の相関を用いて走査線の倍加が行われる。そしてこのように走査線の倍加処理された映像信号が出力端子８に取り出される。
【００２８】
さらにこの実施形態によれば、上述の状態に応じてデコード値が変更されることによって、例えばステート０からステート１への遷移条件を厳しくし、また、ステート１、２間の遷移条件を任意に定めることができる。なおステート２からステート０への遷移は、例えばステート２の状態が所定時間以上継続したときに行われるものである。こうして判別にヒステリシスを設けることができ、遷移を円滑に行わせることができる。
【００２９】
従ってこの実施形態において、所定のブロック内の画素の一致または不一致を計数してフィールドの同一性を判定し、判定のパターンに従って映像信号の映像源の判別を行うと共に、同一性の判定を行う際の判定の閾値を任意に変更するようにしたことによって、映像源の判別を映像信号の特徴に基づいて行うことができると共に、この判別にヒステリシス等を設けることができるものである。またこれを映像信号処理装置に応用することにより、処理を円滑に行わせることができるものである。
【００３０】
さらに上述の実施形態では、各ステート間の遷移の条件の設定を１通りとしたが、例えば供給される映像信号の信号状態等に応じても条件の設定を変更することができる。すなわち上述の図７の実施形態は、例えば映像信号の供給がデジタル記録媒体等の信号状態が極めて良い場合に適用されるものであるが、放送信号等では、例えば同一のフィールドであってもノイズ等によって不一致が生じる場合が多くなる。
【００３１】
そこで、図８には例えば強電界の放送信号に対する判別を行う場合の設定値の一実施形態を示す。この場合に、ステート０ではデコード値“１４０”（全体の２７％程度）として映画フィルムの判別を緩くしている。これに対してステート１、２では、上述の“１”のフィールドでのデコード値“２４”とし、“０”のフィールドでのデコード値“４００”としている。これによって多少のノイズに対してもフィールドの一致が判別されるようになる。
【００３２】
また、図９には例えば中電界の放送信号に対する判別を行う場合の設定値の一実施形態を示す。この場合に、ステート０ではデコード値“４００”として映画フィルムの判別をさらに緩くしている。これによってノイズが多い場合にもフィールドの一致が判別されるようになる。なお、ステート１、２での“１”のフィールドでをデコード値“２４”、“０”のフィールドでのデコード値はステート１で“３００”（全体の５９％程度）、ステート２で“４００”としている。
【００３３】
このようにして、上述の実施形態によれば、各ステート間の遷移の条件の設定を、例えば供給される映像信号の信号状態等に応じても変更することができる。これにより、例えば供給される映像信号の信号状態等に応じて常に最適な映像源の判別を行うことができる。またこの判別にヒステリシス等を設けることができる。さらにこれを映像信号処理装置に応用することにより、処理を円滑に行わせることができるものである。
【００３４】
またこのような装置を実施する場合には、例えば図１０に示すように、端子１０１、１０２には、それぞれ入力端子１からの映像信号（フィールド１）とフィールドメモリ３からの映像信号（フィールド２）とが供給され、これらの映像信号が比較部１０３に供給され、その比較結果が検出部１０４に供給される。そしてこの検出信号が状態遷移出力部１０５に供給され、この判別出力が出力端子１０６に取り出されると共に、状態を示す信号が検出部１０４に帰還される。
【００３５】
それと共に、例えば映像信号のノイズレベル検出部１０７が設けられる。そしてこのノイズレベル検出部１０７からの検出信号が検出部１０４に供給されて上述のデコード値の設定が行われる。さらに具体的には例えば図５の設定回路５８に複数のデコード値のテーブルが設けられ、ノイズレベル検出部１０７からの検出信号によってそのテーブルが切り換えられるようにする。このようにして、映像信号の信号状態等に応じてデコード値の変更が行われる。
【００３６】
このようにして、任意の数のフィールドを用いた走査線の倍加の処理が行われると共に、映像源がフィルムと判別されている期間はプログレッシブ方式が選択されるように処理が行われる。なおこの実施形態によれば、例えば映像信号が毎秒５０フィールドのＰＡＬ方式で、映像源がフィルムのときに２−２プルダウン処理の変換が行われている場合においても、本発明を適用することができるものである。
【００３７】
また、上述の実施形態において、フィールドの一致／不一致を検出する座標ブロックの画素数は、上述の６画素に限らず種々の画素数で検出することができ、この画素数によっても検出レベルの設定を行うことができる。すなわちこのような画素数の変更は、上述したハードウェアによる構成では困難であるが、例えば映像信号をデジタル化してソフトウェアで処理する場合には容易に実施することができるものである。
【００３８】
こうして上述の映像源判別方法によれば、現フィールドの映像信号と２フィールド前の映像信号を用いて入力映像信号の映像源が映画フィルムかどうかの判別を行う方法であって、２つのフィールドの映像信号を所定長の画素単位で比較して一画素でも一致するものがあるかどうかを検出し、検出された一致または不一致の数を計数して閾値と比較して２つのフィールドの映像信号の同一性を判定し、連続した複数フィールドにおける同一性の判定結果のパターンに従って入力映像信号の映像源の判別を行うとともに、直前が映画フィルムでないと判別した状態であるときには、映画フィルムと判別することを厳しくするよう同一性の判定を行う際の閾値が変更されることにより、映像源の判別を映像信号の特徴に基づいて行うことができると共に、この判別にヒステリシス等を設けることができるものである。
【００３９】
また、上述の映像源判別装置によれば、現フィールドの映像信号と２フィールド前の映像信号を用いて入力映像信号の映像源が映画フィルムかどうかの判別を行う装置であって、２つのフィールドの映像信号を所定長の画素単位で比較して一画素でも一致するものがあるかどうかを検出する検出手段と、検出された一致または不一致の数を計数して閾値と比較して２つのフィールドの映像信号の同一性を判定する判定手段と、連続した複数フィールドにおける同一性の判定結果のパターンに従って入力映像信号の映像源の判別を行う判別手段と、直前が映画フィルムでないと判別した状態であるときには、映画フィルムと判別することを厳しくするよう同一性の判定を行う際の閾値を変更する変更手段とを有することにより、映像源の判別を映像信号の特徴に基づいて行うことができると共に、この判別にヒステリシス等を設けることができるものである。
【００４０】
さらに上述の映像信号処理装置によれば、現フィールドの映像信号と２フィールド前の映像信号を用いて入力映像信号の映像源が映画フィルムかどうかの判別を行う装置であって、２つのフィールドの映像信号を所定長の画素単位で比較して一画素でも一致するものがあるかどうかを検出する検出手段と、検出された一致または不一致の数を計数して閾値と比較して２つのフィールドの映像信号の同一性を判定する判定手段と、連続した複数フィールドにおける同一性の判定結果のパターンに従って入力映像信号の映像源の判別を行う判別手段と、直前が映画フィルムでないと判別した状態であるときには、映画フィルムと判別することを厳しくするよう同一性の判定を行う際の閾値を変更する変更手段とを有することにより、処理を円滑に行わせることができるものである。
【００４１】
なお本発明は、上述の説明した実施の形態に限定されるものではなく、本発明の精神を逸脱することなく種々の変形が可能とされるものである。
【００４２】
【発明の効果】
従って請求項１の発明によれば、所定のブロック内の画素の一致または不一致を計数してフィールドの同一性を判定し、判定のパターンに従って映像信号の映像源の判別を行うと共に、同一性の判定を行う際の判定の閾値を任意に変更するようにしたことによって、映像源の判別を映像信号の特徴に基づいて行うことができると共に、この判別にヒステリシス等を設けることができるものである。
【００４３】
また、請求項２の発明によれば、判定の閾値の変更は入力映像信号の想定されるノイズレベルに応じて緩く設定されることによって、映像信号の信号状態の変化に対しても良好な判別を行うことができるものである。
【００４４】
また、請求項３の発明によれば、映像源の判別について直前に映画フィルムと判別され、現在は映画フィルムと判別されていない状態のときには、判定の閾値を変更して映画フィルムと判別することをさらに厳しくするとともに、この状態が所定時間続いたら映画フィルムでないと判別することによって、処理を円滑に行うことができるものである。
【００４５】
さらに請求項４の発明によれば、所定のブロック内の画素の一致または不一致を計数してフィールドの同一性を判定し、判定のパターンに従って映像信号の映像源の判別を行うと共に、同一性の判定を行う際の判定の閾値を任意に変更するようにしたことによって、映像源の判別を映像信号の特徴に基づいて行うことができると共に、この判別にヒステリシス等を設けることができるものである。
【００４６】
また、請求項５の発明によれば、判定の閾値の変更は入力映像信号の想定されるノイズレベルに応じて緩く設定されることによって、映像信号の信号状態の変化に対しても良好な判別を行うことができるものである。
【００４７】
また、請求項６の発明によれば、映像源の判別について直前に映画フィルムと判別され、現在は映画フィルムと判別されていない状態のときには、判定の閾値を変更して映画フィルムと判別することをさらに厳しくするとともに、この状態が所定時間続いたら映画フィルムでないと判別することによって、処理を円滑に行うことができるものである。
【００４８】
さらに請求項７の発明によれば、所定のブロック内の画素の一致または不一致を計数してフィールドの同一性を判定し、判定のパターンに従って映像信号の映像源の判別を行うと共に、同一性の判定を行う際の判定の閾値を任意に変更するようにしたことによって、映像源の判別を映像信号の特徴に基づいて行うことができると共に、この判別にヒステリシス等を設けることができ、処理を円滑に行わせることができるものである。
【００４９】
また、請求項８の発明によれば、判定の閾値の変更は入力映像信号の想定されるノイズレベルに応じて緩く設定されることによって、映像信号の信号状態の変化に対しても良好な判別を行うことができるものである。
【００５０】
また、請求項９の発明によれば、映像源の判別について直前に映画フィルムと判別され、現在は映画フィルムと判別されていない状態のときには、判定の閾値を変更して映画フィルムと判別することをさらに厳しくするとともに、この状態が所定時間続いたら映画フィルムでないと判別することによって、処理を円滑に行うことができるものである。
【図面の簡単な説明】
【図１】本発明の映像源判別方法及び装置及び映像信号処理装置を適用した映像信号処理装置の一実施形態の構成を示すブロック図である。
【図２】その動作の説明のための図である。
【図３】その動作の説明のための図である。
【図４】その要部の一実施形態の構成を示すブロック図である。
【図５】要部の一実施形態の構成図である。
【図６】その動作の説明のための図である。
【図７】その動作の説明のための図である。
【図８】その動作の説明のための図である。
【図９】その動作の説明のための図である。
【図１０】その要部の他の実施形態の構成を示すブロック図である。
【図１１】映像源がビデオカメラである映像信号の説明のための図である。
【図１２】映像源が映画フィルムである映像信号の説明のための図である。
【符号の説明】
１…入力端子、２…第１のフィールドメモリ、３…第２のフィールドメモリ、４，６…切り換え回路、５…走査線倍加装置、７…映画フィルム判別回路、８…出力端子
【図１】
0003692963.tif 000002
【図２】
0003692963.tif 000003
【図３】
0003692963.tif 000004
【図４】
0003692963.tif 000005
【図５】
0003692963.tif 000006
【図６】
0003692963.tif 000007
【図７】
0003692963.tif 000008
【図８】
0003692963.tif 000009
【図９】
0003692963.tif 000010
【図１０】
0003692963.tif 000011
【図１１】
0003692963.tif 000012
【図１２】
0003692963.tif 000013